【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
アグリゲートコンポーネントキャリア（ＣＣ）の複数のグループのうちのＣＣの第１のグループを介してデータを受信することと、ここで、ＣＣの前記第１のグループが無認可または共有周波数に対応する、
物理アップリンク制御チャネル（ＰＵＣＣＨ）上での送信のために、ＣＣの前記第１のグループの少なくとも２つのＣＣからＣＣを選択することと、ここにおいて、前記ＣＣの前記選択が、少なくとも、前記少なくとも２つのＣＣの各々に対して実行される、特定のキャリアが利用可能であるかどうかを決定するためのアップリンク送信クリアランスプロシージャに基づく、
前記選択されたＣＣを介して前記ＰＵＣＣＨ上で送信することと
を備える、ワイヤレス通信の方法。
【請求項２】
前記選択されたＣＣが、無線フレームの複数のアップリンクサブフレームの各々中の前記ＰＵＣＣＨ上での送信のためのものである、または、ＣＣの前記第１のグループは、アップリンク送信が同期しているセルに対応する、または、アグリゲートＣＣの前記複数のグループが、認可周波数に対応するＣＣの多くとも２つのグループをさらに備える、請求項１に記載の方法。
【請求項３】
前記ＣＣの前記選択が、前記少なくとも２つのＣＣの各々のセルインデックスにさらに基づく、請求項１に記載の方法。
【請求項４】
前記選択されたＣＣが、無線フレームの単一のアップリンクサブフレーム中の前記ＰＵＣＣＨ上での送信のためのものであり、
前記ＣＣを前記選択することが、
前記無線フレームの第１のサブフレーム中の前記ＰＵＣＣＨ上での送信のために、前記少なくとも２つのＣＣから第１のＣＣを選択することと、
前記無線フレームの第２のサブフレーム中の前記ＰＵＣＣＨ上での送信のために、前記少なくとも２つのＣＣから第２のＣＣを選択することと
を備える、
請求項３に記載の方法。
【請求項５】
前記選択された第１のＣＣと前記選択された第２のＣＣとが互いと同じである、請求項４に記載の方法。
【請求項６】
ＣＣの前記第１のグループの前記少なくとも２つのＣＣを識別する情報を受信すること
をさらに備える、請求項１に記載の方法。
【請求項７】
ＣＣの前記第１のグループの前記少なくとも２つのＣＣを識別する前記情報が、少なくとも、無線リソース制御（ＲＲＣ）構成情報またはダウンリンク制御情報（ＤＣＩ）を介して受信される、請求項６に記載の方法。
【請求項８】
ＣＣの前記第１のグループの前記少なくとも２つのＣＣが、アップリンク送信のためにスケジュールされたＣＣに対応する、請求項１に記載の方法。
【請求項９】
前記ＰＵＣＣＨが、ＣＣの前記第１のグループの２つまたはそれ以上のＣＣの各々のためのアップリンク制御情報（ＵＣＩ）を含む、請求項１に記載の方法。
【請求項１０】
前記２つまたはそれ以上のＣＣが前記少なくとも２つのＣＣを含む、請求項９に記載の方法。
【請求項１１】
ワイヤレス通信の方法であって、
物理アップリンク制御チャネル（ＰＵＣＣＨ）上での送信のために、複数のアグリゲートコンポーネントキャリア（ＣＣ）のうちの多くとも第１のＣＣまたは第２のＣＣを選択するようにユーザ機器（ＵＥ）を構成するための情報を送信することと、
ここにおいて、前記第１のＣＣおよび前記第２のＣＣが無認可または共有周波数に対応する、
特定のキャリアが利用可能であるかどうかを決定するためのアップリンク送信クリアランスプロシージャが前記第１のＣＣおよび前記第２のＣＣの各々に対して実行されることに基づいて、前記選択された多くとも前記第１のＣＣまたは前記第２のＣＣを介して前記ＰＵＣＣＨ上での送信を受信することと
を備える、ワイヤレス通信の方法。
【請求項１２】
前記複数のアグリゲートＣＣの中から前記第１のＣＣおよび前記第２のＣＣを識別する情報を送信すること
をさらに備える、請求項１１に記載の方法。
【請求項１３】
前記第１のＣＣおよび前記第２のＣＣを識別する前記情報が、少なくとも、無線リソース制御（ＲＲＣ）構成情報またはダウンリンク制御情報（ＤＣＩ）を介して送信される、請求項１２に記載の方法。
【請求項１４】
前記第１のＣＣおよび前記第２のＣＣが、アップリンク送信のためにスケジュールされたＣＣに対応する、請求項１３に記載の方法。
【請求項１５】
ワイヤレス通信のための装置であって、
請求項１−１４のうちのいずれか一項に記載のステップを実行するように構成された手段
を備える、ワイヤレス通信のための装置。
【手続補正２】
【補正対象書類名】明細書
【補正対象項目名】０１４４
【補正方法】変更
【補正の内容】
【０１４４】
[00160]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されたいかなる態様も、必ずしも他の態様よりも好適または有利であると解釈されるべきであるとは限らない。別段に明記されていない限り、「いくつか（some）」という語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「のための手段」という語句を使用して明確に具陳されていない限り、ミーンズプラスファンクションとして解釈されるべきではない。
以下に本願発明の当初の特許請求の範囲に記載された発明を付記する。
［Ｃ１］
ワイヤレス通信の方法であって、
アグリゲートコンポーネントキャリア（ＣＣ）の複数のグループのうちのＣＣの第１のグループを介してデータを受信することと、ここで、ＣＣの前記第１のグループが無認可または共有周波数に対応する、
物理アップリンク制御チャネル（ＰＵＣＣＨ）上での送信のために、ＣＣの前記第１のグループの少なくとも２つのＣＣからＣＣを選択することと、ここにおいて、前記ＣＣの前記選択が、少なくとも、前記少なくとも２つのＣＣの各々のアップリンク送信クリアランスステータスに基づく、
前記選択されたＣＣを介して前記ＰＵＣＣＨ上で送信することと
を備える、ワイヤレス通信の方法。
［Ｃ２］
前記選択されたＣＣが、無線フレームの複数のアップリンクサブフレームの各々中の前記ＰＵＣＣＨ上での送信のためのものである、Ｃ１に記載の方法。
［Ｃ３］
前記ＣＣの前記選択が、前記少なくとも２つのＣＣの各々のセルインデックスにさらに基づく、Ｃ１に記載の方法。
［Ｃ４］
前記選択されたＣＣが、無線フレームの単一のアップリンクサブフレーム中の前記ＰＵＣＣＨ上での送信のためのものであり、
前記ＣＣを前記選択することが、
前記無線フレームの第１のサブフレーム中の前記ＰＵＣＣＨ上での送信のために、前記少なくとも２つのＣＣから第１のＣＣを選択することと、
前記無線フレームの第２のサブフレーム中の前記ＰＵＣＣＨ上での送信のために、前記少なくとも２つのＣＣから第２のＣＣを選択することと
を備える、
Ｃ３に記載の方法。
［Ｃ５］
前記選択された第１のＣＣと前記選択された第２のＣＣとが互いと同じである、Ｃ４に記載の方法。
［Ｃ６］
ＣＣの前記第１のグループの前記少なくとも２つのＣＣを識別する情報を受信することをさらに備える、Ｃ１に記載の方法。
［Ｃ７］
ＣＣの前記第１のグループの前記少なくとも２つのＣＣを識別する前記情報が、少なくとも、無線リソース制御（ＲＲＣ）構成情報またはダウンリンク制御情報（ＤＣＩ）を介して受信される、Ｃ６に記載の方法。
［Ｃ８］
ＣＣの前記第１のグループの前記少なくとも２つのＣＣが、アップリンク送信のためにスケジュールされたＣＣに対応する、Ｃ１に記載の方法。
［Ｃ９］
前記ＰＵＣＣＨが、ＣＣの前記第１のグループの２つまたはそれ以上のＣＣの各々のためのアップリンク制御情報（ＵＣＩ）を含む、Ｃ１に記載の方法。
［Ｃ１０］
前記２つまたはそれ以上のＣＣが前記少なくとも２つのＣＣを含む、Ｃ９に記載の方法。
［Ｃ１１］
ＣＣの前記第１のグループは、アップリンク送信が同期しているセルに対応する、Ｃ１に記載の方法。
［Ｃ１２］
アグリゲートＣＣの前記複数のグループが、認可周波数に対応するＣＣの多くとも２つのグループをさらに備える、Ｃ１に記載の方法。
［Ｃ１３］
ワイヤレス通信の方法であって、
物理アップリンク制御チャネル（ＰＵＣＣＨ）上での送信のために、複数のアグリゲートコンポーネントキャリア（ＣＣ）のうちの多くとも第１のＣＣまたは第２のＣＣを選択するようにユーザ機器（ＵＥ）を構成するための情報を送信することと、
ここにおいて、前記第１のＣＣおよび前記第２のＣＣが無認可または共有周波数に対応する、
前記選択された多くとも前記第１のＣＣまたは前記第２のＣＣを介して前記ＰＵＣＣＨ上での送信を受信することと
を備える、ワイヤレス通信の方法。
［Ｃ１４］
前記複数のアグリゲートＣＣの中から前記第１のＣＣおよび前記第２のＣＣを識別する情報を送信すること
をさらに備える、Ｃ１３に記載の方法。
［Ｃ１５］
前記第１のＣＣおよび前記第２のＣＣを識別する前記情報が、少なくとも、無線リソース制御（ＲＲＣ）構成情報またはダウンリンク制御情報（ＤＣＩ）を介して送信される、Ｃ１４に記載の方法。
［Ｃ１６］
前記第１のＣＣおよび前記第２のＣＣが、アップリンク送信のためにスケジュールされたＣＣに対応する、Ｃ１３に記載の方法。
［Ｃ１７］
ワイヤレス通信のための装置であって、
メモリと、
前記メモリに結合された少なくとも１つのプロセッサと
を備え、前記少なくとも１つのプロセッサが、
アグリゲートコンポーネントキャリア（ＣＣ）の複数のグループのうちのＣＣの第１のグループを介してデータを受信することと、ここで、ＣＣの前記第１のグループが無認可または共有周波数に対応する、
物理アップリンク制御チャネル（ＰＵＣＣＨ）上での送信のために、ＣＣの前記第１のグループの少なくとも２つのＣＣからＣＣを選択することと、ここにおいて、前記ＣＣの前記選択が、少なくとも、前記少なくとも２つのＣＣの各々のアップリンク送信クリアランスステータスに基づく、
前記選択されたＣＣを介して前記ＰＵＣＣＨ上で送信することと
を行うように構成された、
ワイヤレス通信のための装置。
［Ｃ１８］
前記選択されたＣＣが、無線フレームの複数のアップリンクサブフレームの各々中の前記ＰＵＣＣＨ上での送信のためのものである、Ｃ１７に記載の装置。
［Ｃ１９］
前記ＣＣの前記選択が、前記少なくとも２つのＣＣの各々のセルインデックスにさらに基づく、Ｃ１７に記載の装置。
［Ｃ２０］
前記選択されたＣＣが、無線フレームの単一のアップリンクサブフレーム中の前記ＰＵＣＣＨ上での送信のためのものであり、
前記少なくとも１つのプロセッサが、
前記無線フレームの第１のサブフレーム中の前記ＰＵＣＣＨ上での送信のために、前記少なくとも２つのＣＣから第１のＣＣを選択することと、
前記無線フレームの第２のサブフレーム中の前記ＰＵＣＣＨ上での送信のために、前記少なくとも２つのＣＣから第２のＣＣを選択することと
によって前記ＣＣを選択するようにさらに構成された、
Ｃ１９に記載の装置。
［Ｃ２１］
前記選択された第１のＣＣと前記選択された第２のＣＣとが互いと同じである、Ｃ２０に記載の装置。
［Ｃ２２］
前記少なくとも１つのプロセッサが、
ＣＣの前記第１のグループの前記少なくとも２つのＣＣを識別する情報を受信する ようにさらに構成された、Ｃ１７に記載の装置。
［Ｃ２３］
ＣＣの前記第１のグループの前記少なくとも２つのＣＣを識別する前記情報が、少なくとも、無線リソース制御（ＲＲＣ）構成情報またはダウンリンク制御情報（ＤＣＩ）を介して受信される、Ｃ２２に記載の装置。
［Ｃ２４］
ＣＣの前記第１のグループの前記少なくとも２つのＣＣが、アップリンク送信のためにスケジュールされたＣＣに対応する、Ｃ１７に記載の装置。
［Ｃ２５］
前記ＰＵＣＣＨが、ＣＣの前記第１のグループの２つまたはそれ以上のＣＣの各々のためのアップリンク制御情報（ＵＣＩ）を含む、Ｃ１７に記載の装置。
［Ｃ２６］
前記２つまたはそれ以上のＣＣが前記少なくとも２つのＣＣを含む、Ｃ２５に記載の装置。
［Ｃ２７］
ＣＣの前記第１のグループは、アップリンク送信が同期しているセルに対応する、Ｃ１７に記載の装置。
［Ｃ２８］
アグリゲートＣＣの前記複数のグループが、認可周波数に対応するＣＣの多くとも２つのグループをさらに備える、Ｃ１７に記載の装置。
［Ｃ２９］
ワイヤレス通信のための装置であって、
メモリと、
前記メモリに結合された少なくとも１つのプロセッサと
を備え、前記少なくとも１つのプロセッサが、
物理アップリンク制御チャネル（ＰＵＣＣＨ）上での送信のために、複数のアグリゲートコンポーネントキャリア（ＣＣ）のうちの多くとも第１のＣＣまたは第２のＣＣを選択するようにユーザ機器（ＵＥ）を構成するための情報を送信することと、
ここにおいて、前記第１のＣＣおよび前記第２のＣＣが無認可または共有周波数に対応する、
前記選択された多くとも前記第１のＣＣまたは前記第２のＣＣを介して前記ＰＵＣＣＨ上での送信を受信することと
を行うように構成された、
ワイヤレス通信のための装置。
［Ｃ３０］
前記少なくとも１つのプロセッサが、
前記複数のアグリゲートＣＣの中から前記第１のＣＣおよび前記第２のＣＣを識別する情報を送信する
ようにさらに構成された、Ｃ２９に記載の装置。